(57)【要約】  本発明は、大型の表示パネル等の駆動に必要な電流を供給できる電源回路を備え間欠駆動等による低消費電力化にも対応できる表示装置を提供することを目的とする。  スイッチング素子の動作によってインダクタに流れる電流を変化させることにより電圧レベルを変換するＤＣ−ＤＣコンバータ（６００）を用いて、駆動回路（５００）に供給すべき電源電圧ＶＰＷ１等を生成する。表示制御回路（２００）内の電源制御部（２２０）でモード制御信号Ｃｍを生成してＤＣ−ＤＣコンバータ（６００）に与えることにより、ＤＣ−ＤＣコンバータ（６００）を、間欠駆動における非リフレッシュ期間のように負荷が小さい期間ではＰＦＭ制御モードで動作させ、それ以外の期間ではＰＷＭ制御モードで動作させる。
2013153987.tif 000002
【特許請求の範囲】
【請求項１】
直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で切り換えることができるように構成されており、
前記電源制御部は、前記駆動回路が前記表示部を駆動しているときに前記第１のＤＣ−ＤＣコンバータが前記第１モードで動作し、前記駆動回路が前記表示部の駆動を休止しているときに前記第１のＤＣ−ＤＣコンバータが前記第２モードで動作するように、前記制御モードを切り換えることを特徴とする、表示装置。
【請求項２】
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御部は、前記第１のＤＣ−ＤＣコンバータが前記リフレッシュ期間では前記第１モードで動作し前記非リフレッシュ期間では前記第２モードで動作するように、前記制御モードを切り換えることを特徴とする、請求項１に記載の表示装置。
【請求項３】
前記駆動制御部は、前記リフレッシュ期間のみが繰り返し現れる通常駆動モードと前記リフレッシュ期間と前記非リフレッシュ期間とが交互に現れる間欠駆動モードとの間で前記駆動回路の動作モードを切り換えることができるように構成されており、
前記電源制御部は、前記駆動回路が前記通常駆動モードで動作しているときに前記第１のＤＣ−ＤＣコンバータが前記第１モードで動作するように、前記制御モードを決定することを特徴とする、請求項２に記載の表示装置。
【請求項４】
前記駆動制御部は、前記表示部における表示画像をリフレッシュするリフレッシュ期間のみが繰り返し現れる通常駆動モードと、前記表示部における表示画像をリフレッシュするリフレッシュ期間と前記表示部における表示画像のリフレッシュを休止する非リフレッシュ期間とが交互に現れる間欠駆動モードとの間で、前記駆動回路の動作モードを切り換えることができるように構成されており、
前記電源制御部は、前記駆動回路が前記通常駆動モードで動作しているときに前記第１のＤＣ−ＤＣコンバータが前記第１モードで動作し、前記駆動回路が前記間欠駆動モードで動作しているときに前記第１のＤＣ−ＤＣコンバータが前記第２モードで動作するように、前記制御モードを切り換えることを特徴とする、請求項１に記載の表示装置。
【請求項５】
前記第１のＤＣ−ＤＣコンバータは、
前記第１モードでは前記第１のスイッチング素子の動作をパルス幅変調方式により制御し、
前記第２モードでは前記第１のスイッチング素子の動作をパルス周波数変調方式により制御することを特徴とする、請求項１から３のいずれか１項に記載の表示装置。
【請求項６】
前記第１のＤＣ−ＤＣコンバータは、
前記第１モードでは前記第１のスイッチング素子の動作をパルス幅変調方式により制御し、
前記第２モードでは、前記第１のスイッチング素子の動作を制御する方式を前記第１のＤＣ−ＤＣコンバータの負荷に応じてパルス幅変調方式とパルス周波数変調方式との間で切り換えることを特徴とする、請求項１から４のいずれか１項に記載の表示装置。
【請求項７】
第２の誘導素子と当該第２の誘導素子に流れる電流を変化させるための第２のスイッチング素子とを含み、外部から入力される直流電圧のレベルを当該第２のスイッチング素子を動作させることにより変換し、レベル変換後の直流電圧を第２の電源電圧として前記駆動制御部に供給する第２のＤＣ−ＤＣコンバータを更に備え、
前記第２のＤＣ−ＤＣコンバータは、前記第２のスイッチング素子の動作を制御する制御モードを前記少なくとも２つのモードの間で切り換えることができるように構成されており、
前記電源制御部は、前記第１のＤＣ−ＤＣコンバータの制御モードを前記第２のＤＣ−ＤＣコンバータの制御モードとは独立に切り換えることを特徴とする、請求項１から４のいずれか１項に記載の表示装置。
【請求項８】
画像を表示するための表示部と当該表示部を駆動するための駆動回路と当該駆動回路を制御するための駆動制御部とを有する表示装置における電源電圧を生成するための電源生成方法であって、
誘導素子に流れる電流を変化させるためのスイッチング素子の動作を制御することにより、外部から入力される直流電圧のレベルを変換し、レベル変換後の直流電圧を前記電源電圧として出力する電圧レベル変換ステップと、
前記スイッチング素子の動作を制御する制御モードを、第１モードと所定の軽負荷時において当該第１モードよりも電源変換効率の高い第２モードとを含む少なくとも２つのモードの間で切り換える電源制御ステップとを備え、
前記電源制御ステップでは、前記駆動回路が前記表示部を駆動しているときに前記スイッチング素子の動作が前記第１モードで制御され、前記駆動回路が前記表示部の駆動を休止しているときに前記スイッチング素子の動作が前記第２モードで制御されるように、前記制御モードが切り換わることを特徴とする、電源生成方法。
【請求項９】
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御ステップでは、前記スイッチング素子の動作が前記リフレッシュ期間において前記第１モードで制御され前記非リフレッシュ期間において前記第２モードで制御されるように、前記制御モードが切り換わることを特徴とする、請求項８に記載の電源生成方法。
【発明の詳細な説明】
【技術分野】
【０００１】
本発明は、表示装置およびそのための電源生成方法に関し、特に、直流電圧のレベルを変換することにより電源電圧を生成する電源回路を備えた表示装置およびそのための電源生成方法に関する。
【背景技術】
【０００２】
携帯電話機等のような携帯用電子機器で使用される液晶表示装置では、その駆動に必要な電源電圧を生成するために従来よりチャージポンプ方式の電源回路が使用されている。また、そのような液晶表示装置等の表示装置において、消費電力を低減するために、走査信号線としてのゲートラインを走査して表示画像のリフレッシュを行う走査期間（「充電期間」または「リフレッシュ期間」ともいう。）の後に、全てのゲートラインを非走査状態にしてリフレッシュを休止する休止期間（「保持期間」または「非リフレッシュ期間」ともいう）を設けるという駆動が行われる場合がある。この駆動は、例えば「休止駆動」と呼ばれるものであり、「低周波駆動」または「間欠駆動」と呼ばれることもある。【０００３】
このような間欠駆動を行う液晶表示装置において消費電力を十分に低減するためには、そこで使用されているチャージポンプ方式の電源回路での消費電力も低減させる必要がある。そこで、チャージポンプ式電源回路でのポンプ動作の周波数を非走査期間では走査期間よりも低下させるように構成された液晶表示装置も提案されている（例えば特許文献１参照）。【０００４】
また、液晶駆動回路への電源供給源としての昇圧回路装置において、液晶駆動回路の消費電流が大きいときには、クロック信号を駆動信号として昇圧回路に与え、液晶駆動回路の消費電流が小さいときには、駆動信号のレベルを固定して昇圧回路の動作を停止させるようにする構成も提案されている（例えば特許文献２参照）。
【先行技術文献】
【特許文献】
【０００５】
【特許文献１】日本国特開２００２−１２３２３４号公報
【特許文献２】日本国特許第３１５９５８６号公報
【発明の概要】
【発明が解決しようとする課題】
【０００６】
チャージポンプ方式の電源回路は、小型で低解像度の液晶表示装置において数十ｍＡ程度の電流を供給するのには適している。しかし、液晶表示装置における液晶パネルの解像度またはサイズが大きくなると、その液晶パネルを駆動するための電源回路としてチャージポンプ方式を使用するのは困難となる。【０００７】
そこで、本発明では、大型または高精細（高解像度）の表示パネルの駆動に必要な電流を供給できる電源回路を備え、間欠駆動等による低消費電力化にも対応できる表示装置を提供することを目的とする。
【課題を解決するための手段】
【０００８】
本発明の第１の局面は、直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で切り換えることができるように構成されており、
前記電源制御部は、前記駆動回路が前記表示部を駆動しているときに前記第１のＤＣ−ＤＣコンバータが前記第１モードで動作し、前記駆動回路が前記表示部の駆動を休止しているときに前記第１のＤＣ−ＤＣコンバータが前記第２モードで動作するように、前記制御モードを切り換えることを特徴とする。【０００９】
本発明の第２の局面は、本発明の第１の局面において、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御部は、前記第１のＤＣ−ＤＣコンバータが前記リフレッシュ期間では前記第１モードで動作し前記非リフレッシュ期間では前記第２モードで動作するように、前記制御モードを切り換えることを特徴とする。【００１０】
本発明の第３の局面は、本発明の第２の局面において、
前記駆動制御部は、前記リフレッシュ期間のみが繰り返し現れる通常駆動モードと前記リフレッシュ期間と前記非リフレッシュ期間とが交互に現れる間欠駆動モードとの間で前記駆動回路の動作モードを切り換えることができるように構成されており、
前記電源制御部は、前記駆動回路が前記通常駆動モードで動作しているときに前記第１のＤＣ−ＤＣコンバータが前記第１モードで動作するように、前記制御モードを決定することを特徴とする。【００１１】
本発明の第４の局面は、本発明の第１の局面において、
前記駆動制御部は、前記表示部における表示画像をリフレッシュするリフレッシュ期間のみが繰り返し現れる通常駆動モードと、前記表示部における表示画像をリフレッシュするリフレッシュ期間と前記表示部における表示画像のリフレッシュを休止する非リフレッシュ期間とが交互に現れる間欠駆動モードとの間で、前記駆動回路の動作モードを切り換えることができるように構成されており、
前記電源制御部は、前記駆動回路が前記通常駆動モードで動作しているときに前記第１のＤＣ−ＤＣコンバータが前記第１モードで動作し、前記駆動回路が前記間欠駆動モードで動作しているときに前記第１のＤＣ−ＤＣコンバータが前記第２モードで動作するように、前記制御モードを切り換えることを特徴とする。【００１２】
本発明の第５の局面は、本発明の第１から第３の局面において、
前記第１のＤＣ−ＤＣコンバータは、前記第１モードでは前記第１のスイッチング素子の動作をパルス幅変調方式により制御し、前記第２モードでは前記第１のスイッチング素子の動作をパルス周波数変調方式により制御することを特徴とする。【００１３】
本発明の第６の局面は、本発明の第１から第４の局面において、
前記第１のＤＣ−ＤＣコンバータは、前記第１モードでは前記第１のスイッチング素子の動作をパルス幅変調方式により制御し、前記第２モードでは、前記第１のスイッチング素子の動作を制御する方式を前記第１のＤＣ−ＤＣコンバータの負荷に応じてパルス幅変調方式とパルス周波数変調方式との間で切り換えることを特徴とする。【００１４】
本発明の第７の局面は、本発明の第１から第４の局面において、
第２の誘導素子と当該第２の誘導素子に流れる電流を変化させるための第２のスイッチング素子とを含み、外部から入力される直流電圧のレベルを当該第２のスイッチング素子を動作させることにより変換し、レベル変換後の直流電圧を第２の電源電圧として前記駆動制御部に供給する第２のＤＣ−ＤＣコンバータを更に備え、
前記第２のＤＣ−ＤＣコンバータは、前記第２のスイッチング素子の動作を制御する制御モードを前記少なくとも２つのモードの間で切り換えることができるように構成されており、
前記電源制御部は、前記第１のＤＣ−ＤＣコンバータの制御モードを前記第２のＤＣ−ＤＣコンバータの制御モードとは独立に切り換えることを特徴とする。【００１５】
本発明の第８の局面は、画像を表示するための表示部と当該表示部を駆動するための駆動回路と当該駆動回路を制御するための駆動制御部とを有する表示装置における電源電圧を生成するための電源生成方法であって、
誘導素子に流れる電流を変化させるためのスイッチング素子の動作を制御することにより、外部から入力される直流電圧のレベルを変換し、レベル変換後の直流電圧を前記電源電圧として出力する電圧レベル変換ステップと、
前記スイッチング素子の動作を制御する制御モードを、第１モードと所定の軽負荷時において当該第１モードよりも電源変換効率の高い第２モードとを含む少なくとも２つのモードの間で切り換える電源制御ステップとを備え、
前記電源制御ステップでは、前記駆動回路が前記表示部を駆動しているときに前記スイッチング素子の動作が前記第１モードで制御され、前記駆動回路が前記表示部の駆動を休止しているときに前記スイッチング素子の動作が前記第２モードで制御されるように、前記制御モードが切り換わることを特徴とする。【００１６】
本発明の第９の局面は、本発明の第８の局面において、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記モード切換ステップでは、前記スイッチング素子の動作が前記リフレッシュ期間において前記第１モードで制御され前記非リフレッシュ期間において前記第２モードで制御されるように、前記制御モードが切り換わることを特徴とする。【００１７】
本発明の他の局面は、本発明の上記第１〜第９の局面および後述の各実施形態に関する説明から明らかであるので、その説明を省略する。
【発明の効果】
【００１８】
本発明の第１の局面によれば、誘導素子に流れる電流をスイッチング素子によって変化させることにより直流電圧のレベルが変換され、レベル変換後の直流電圧が電源電圧として駆動回路に供給される。このため、表示部が大型または高精細（高解像度）であってもその駆動に十分な電流を電源回路としてのＤＣ−ＤＣコンバータから供給することができる。また、このＤＣ−ＤＣコンバータは、駆動回路が表示部を駆動しているときに第１モードで動作し、駆動回路が表示部の駆動を休止しているときに第２モードで動作する。これにより、ＤＣ−ＤＣコンバータの軽負荷時での電源変換効率の低下が回避される。したがって、大型または高精細の表示部の駆動に十分な電流をＤＣ−ＤＣコンバータから駆動回路に供給しつつ、表示装置の動作期間全体において電源変換効率を高く維持することができる。【００１９】
本発明の第２の局面によれば、ＤＣ−ＤＣコンバータがリフレッシュ期間では第１モードで動作し非リフレッシュ期間では第２モードで動作する。これにより、非リフレッシュ期間における電源変換効率の低下が回避されるので、間欠駆動が行われる場合であっても表示装置の動作期間全体において電源変換効率が高く維持される。したがって、大型または高精細の表示部の駆動に十分な電流をＤＣ−ＤＣコンバータから供給しつつ、間欠駆動による消費電力の低減効果を損なわない高い変換効率で電源電圧を生成することができる。【００２０】
本発明の第３の局面によれば、ＤＣ−ＤＣコンバータは、駆動回路が通常駆動モードで動作しているときに第１モードで動作し、駆動回路が間欠駆動モードで動作しているときには、ＤＣ−ＤＣコンバータの制御モードが上記第２の局面におけるように切り換えられる。これにより、表示装置の駆動回路が通常駆動モードと間欠駆動モードのいずれのモードで動作している場合であっても、表示装置の動作期間全体において電源変換効率が高く維持される。【００２１】
本発明の第４の局面によれば、ＤＣ−ＤＣコンバータは、駆動回路が通常駆動モードで動作しているときに第１モードで動作し、駆動回路が間欠駆動モードで動作しているときに第２モードで動作する。これにより、表示装置の駆動回路が通常駆動モードと間欠駆動モードのいずれのモードで動作している場合であっても、表示装置の動作期間全体において電源変換効率が高く維持される。【００２２】
本発明の第５の局面によれば、ＤＣ−ＤＣコンバータにおいて誘導素子に流れる電流を変化させるためのスイッチング素子の動作が、上記第１モードではパルス幅変調方式により制御され、上記第２モードではパルス周波数変調方式により制御される。これにより、大型または高精細の表示部の駆動に十分な電流をＤＣ−ＤＣコンバータから供給しつつ、表示装置の動作期間全体において電源変換効率を高く維持することができる。【００２３】
本発明の第６の局面によれば、ＤＣ−ＤＣコンバータにおいて誘導素子に流れる電流を変化させるためのスイッチング素子の動作が上記第１モードではパルス幅変調方式により制御され、上記第２モードでは、当該スイッチング素子の動作を制御する方式がＤＣ−ＤＣコンバータの負荷に応じてパルス幅変調方式とパルス周波数変調方式との間で切り換えられる。これにより、大型または高精細の表示部の駆動に十分な電流をＤＣ−ＤＣコンバータから供給しつつ、表示装置の動作期間全体において電源変換効率を高く維持することができる。【００２４】
本発明の第７の局面によれば、上記ＤＣ−ＤＣコンバータ（第１のＤＣ−ＤＣコンバータ）と同様の構成の第２のＤＣ−ＤＣコンバータにより、駆動制御部に供給すべき電源電圧が生成される。当該第２のＤＣ−ＤＣコンバータの制御モードは、第１のＤＣ−ＤＣコンバータの制御モードとは独立に切り換えられる。これにより、表示部の駆動用の電源電圧の生成動作と駆動制御部の電源電圧（ロジック用電源電圧）の生成動作のそれぞれをきめ細かく制御することで、電源回路全体として電源変換効率を更に高めることができる。【００２５】
本発明の他の局面の効果については、本発明の上記第１〜第７の局面の効果および下記実施形態についての説明から明らかであるので、説明を省略する。
【図面の簡単な説明】
【００２６】
【図１】本発明の第１の実施形態に係る液晶表示装置の構成を示すブロック図である。
【図２】上記第１の実施形態におけるＤＣ−ＤＣコンバータを構成する昇圧部の概略構成を示す図である。
【図３】上記第１の実施形態におけるＤＣ−ＤＣコンバータを構成する反転部の概略構成を示す図である。
【図４】上記第１の実施形態におけるＤＣ−ＤＣコンバータを構成する降圧部の概略構成を示す図である。
【図５】上記第１の実施形態に係る液晶表示装置の間欠駆動モードでの動作を説明するための信号波形図である。
【図６】上記第１の実施形態に係る液晶表示装置が間欠駆動モードで動作しているときのＤＣ−ＤＣコンバータの動作を説明するためのタイミングチャートである。
【図７】従来の液晶表示装置が間欠駆動モードでの動作しているときのＤＣ−ＤＣコンバータの動作を説明するためのタイミングチャートである。
【図８】上記第１の実施形態に係る液晶表示装置が通常駆動モードで動作しているときのＤＣ−ＤＣコンバータの動作を説明するための信号波形図である。
【図９】上記第１の実施形態の第１の変形例に係る液晶表示装置の通常駆動モードでの動作を説明するための信号波形図である。
【図１０】上記第１の実施形態の第２の変形例に係る液晶表示装置の間欠駆動モードでの動作を説明するための信号波形図（Ａ）、および、当該第２の変形例に係る液晶表示装置の通常駆動モードでの動作を説明するための信号波形図（Ｂ）である。
【図１１】本発明の第２の実施形態に係る液晶表示装置の構成を示すブロック図である。
【図１２】上記第２の実施形態に係る液晶表示装置の間欠駆動モードでの動作を説明するための信号波形図である。
【図１３】上記第２の実施形態の変形例に係る液晶表示装置の間欠駆動モードでの動作を説明するための信号波形図である。
【図１４】本発明の第３の実施形態に係る液晶表示装置の構成を示すブロック図である。
【発明を実施するための形態】
【００２７】
以下、添付図面を参照しながら、本発明の実施形態について説明する。以下の各実施形態における「１フレーム期間」とは、リフレッシュレートが６０Ｈｚである一般的な表示装置における１フレーム期間（１６．６７ｍｓ）をいう。ただし、本発明におけるフレーム期間はこの長さに限定されるものではない。
【００２８】
＜１．第１の実施形態＞
＜１．１  全体構成および動作概要＞
図１は、本発明の第１の実施形態に係る液晶表示装置２の構成を示すブロック図である。図１に示すように、液晶表示装置２は、液晶表示パネル１０と、バックライトユニット３０と、表示の制御および電源のための回路が搭載されたプリント配線板６０とを備えている。プリント配線板６０には、液晶表示装置２を動作させるための信号Ｓｉｎおよび直流の電源電圧ＶＰＷｉｎが外部から与えられる。以下、この信号Ｓｉｎを「外部入力信号Ｓｉｎ」または単に「入力信号Ｓｉｎ」と呼び、この電源電圧ＶＰＷｉｎを「入力電源電圧ＶＰＷｉｎ」と呼ぶものとする。入力信号Ｓｉｎは、液晶表示パネル１０が表示すべき画像を表すデータ信号および液晶表示パネル１０の駆動タイミングを制御するための制御信号を含む。入力電源電圧ＶＰＷｉｎは例えば３．３Ｖの直流電圧である。入力電源電圧ＶＰＷｉｎの電圧値は、これに限定されないが、以下では３．３Ｖとして説明を進める。
【００２９】
液晶表示パネル１０上には、表示部１００、データ信号線駆動回路３００、および走査信号線駆動回路４００が設けられている。なお、データ信号線駆動回路３００と走査信号線駆動回路４００は駆動回路５００を構成し、データ信号線駆動回路３００および走査信号線駆動回路４００の双方またはいずれか一方は表示部１００と一体的に形成されていても良い。
【００３０】
プリント配線板６０上には、表示制御回路（「タイミングコントローラ」または「ＴＣＯＮ」とも呼ばれる）２００および電源回路としてのＤＣ−ＤＣコンバータ６００が搭載されている。入力信号Ｓｉｎは表示制御回路２００に与えられ、入力電源電圧ＶＰＷｉｎはＤＣ−ＤＣコンバータ６００に与えられる。
【００３１】
表示部１００には、複数本（ｍ本）のデータ信号線ＳＬ１〜ＳＬｍと、複数本（ｎ本）の走査信号線ＧＬ１〜ＧＬｎと、これらのｍ本のデータ信号線ＳＬ１〜ＳＬｍとｎ本の走査信号線ＧＬ１〜ＧＬｎとの交差点に対応して設けられた複数個（ｍ×ｎ個）の画素形成部１１０とが形成されている。ｍ×ｎ個の画素形成部１１０はマトリクス状に形成されている。各画素形成部１１０は、対応する交差点を通過する走査信号線ＧＬｉに制御端子としてのゲート端子が接続されると共に、当該交差点を通過するデータ信号線ＳＬｊにソース端子が接続されたスイッチング素子としてのＴＦＴ１１１と、そのＴＦＴ１１１のドレイン端子に接続された画素電極１１２と、ｍ×ｎ個の画素形成部１１０に共通的に設けられた共通電極１１３と、画素電極１１２と共通電極１１３との間に挟持されｍ×ｎ個の画素形成部１１０に共通的に設けられた液晶層とにより構成される。そして、画素電極１１２および共通電極１１３により形成される液晶容量により画素容量Ｃｐが構成される。なお、典型的には、画素容量Ｃｐに確実に電圧を保持すべく液晶容量に並列に補助容量が設けられるので、実際には画素容量Ｃｐは液晶容量および補助容量により構成される。
【００３２】
本実施形態ではＴＦＴ１１１として、例えば酸化物半導体をチャネル層に用いたＴＦＴ（以下「酸化物ＴＦＴ」という。）が用いられる。より詳細には、ＴＦＴ１１１のチャネル層は、インジウム（Ｉｎ）、ガリウム（Ｇａ）、亜鉛（Ｚｎ）、および酸素（Ｏ）を主成分とするＩＧＺＯ（ＩｎＧａＺｎＯｘ）により形成されている。以下では、ＩＧＺＯをチャネル層に用いたＴＦＴのことを「ＩＧＺＯ−ＴＦＴ」という。ＩＧＺＯ−ＴＦＴは、シリコン系のＴＦＴ、アモルファスシリコン（Amorphous Silicon）などをチャネル層に用いたシリコン系のＴＦＴに比べてオフリーク電流が遙かに小さい。このため、画素容量Ｃｐに書き込んだ電圧をより長い期間保持することができる。なお、ＩＧＺＯ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含んだ酸化物半導体をチャネル層に用いた場合でも同様の効果が得られる。また、ＴＦＴ１１１として酸化物ＴＦＴを用いるのは単なる一例であり、これに代えてシリコン系のＴＦＴなどを用いても良い。
【００３３】
プリント配線板６０におけるＤＣ−ＤＣコンバータ６００は、入力電源電圧ＶＰＷｉｎのレベル（３．３Ｖ）を変換することにより、液晶表示パネル１０（の表示部１００）の駆動に必要な直流の電源電圧（以下「パネル用電源電圧」という）ＶＰＷ１および液晶表示装置２内の回路のロジック部の動作に必要な直流の電源電圧（以下「ロジック用電源電圧」）ＶＰＷ２を生成する。パネル用電源電圧ＶＰＷ１は駆動回路５００（データ信号線駆動回路３００および走査信号線駆動回路４００）に与えられ、ロジック用電源電圧ＶＰＷ２は駆動回路５００（のロジック部）および表示制御回路２００に与えられる。パネル用電源電圧ＶＰＷ１のレベルは例えば１０Ｖ、３５Ｖ、−１５Ｖであり、ロジック用電源電圧ＶＰＷ２のレベルは例えば１．８Ｖである。
【００３４】
プリント配線板６０における表示制御回路２００は、典型的にはＩＣ（Integrated Circuit）として実現され、駆動制御部２１０および電源制御部２２０を含んでいる。駆動制御部２１０は、駆動回路５００（データ信号線駆動回路３００および走査信号線駆動回路４００）を制御するために、外部からの入力信号Ｓｉｎに基づき、データ側制御信号ＳＣＴ、走査側制御信号ＧＣＴ、および共通電位Ｖｃｏｍを生成し出力する。データ側制御信号ＳＣＴはデータ信号線駆動回路３００に与えられる。走査側制御信号ＧＣＴは走査信号線駆動回路４００に与えられる。共通電位Ｖｃｏｍは共通電極１１３に与えられる。電源制御部２２０は、データ信号線駆動回路３００および走査信号線駆動回路４００による表示部１００の駆動と連動させてＤＣ−ＤＣコンバータ６００の制御モードを切り換えるためのモード制御信号Ｃｍを生成する。このモード制御信号Ｃｍは、ＤＣ−ＤＣコンバータ６００に与えられる。一般に、ＤＣ−ＤＣコンバータの制御モードは、ＤＣ−ＤＣコンバータにおいてインダクタ（誘導素子）に流れる電流を変化させるためのスイッチング素子の動作を制御するための方式によって決まる。以下では、ＤＣ−ＤＣコンバータの出力電圧のレベルが目標値となるように当該スイッチング素子の動作がパルス幅変調方式（ＰＷＭ方式）により制御される場合の制御モードを「ＰＷＭ制御モード」と呼び、ＤＣ−ＤＣコンバータの出力電圧のレベルが目標値となるように当該スイッチング素子の動作がパルス周波数変調方式（ＰＦＭ方式）により制御される場合の制御モードを「ＰＦＭ制御モード」と呼ぶ。
【００３５】
データ信号線駆動回路３００は、データ側制御信号ＳＣＴに応じて、データ信号線ＳＬ１〜ＳＬｍに与えるべき駆動用画像信号Ｓ１〜Ｓｍを生成し出力する。データ側制御信号ＳＣＴには、デジタル映像信号、ソーススタートパルス信号、ソースクロック信号、ラッチストローブ信号などが含まれる。データ信号線駆動回路３００は、ソーススタートパルス信号、ソースクロック信号、およびラッチストローブ信号に応じて、その内部の図示しないシフトレジスタおよびサンプリングラッチ回路などを動作させ、デジタル映像信号に基づいて得られたデジタル信号Ｄ１〜Ｄｍを図示しないＤＡ変換回路でアナログ信号に変換することにより駆動用画像信号Ｓ１〜Ｓｍを生成する。
【００３６】
走査信号線駆動回路４００は、走査側制御信号ＧＣＴに応じて、アクティブな走査信号Ｇｉの走査信号線ＧＬｉへの印加を所定周期で繰り返す（ｉ＝１〜ｎ）。走査側制御信号ＧＣＴには、例えばゲートクロック信号およびゲートスタートパルス信号が含まれる。走査信号線駆動回路４００は、ゲートクロック信号およびゲートスタートパルス信号に応じて、その内部の図示しないシフトレジスタなどを動作させ、走査信号Ｇ１〜Ｇｎを生成する。
【００３７】
バックライトユニット３０は、液晶表示パネル１０の背面側に設けられ、液晶表示パネル１０の背面にバックライト光を照射する。バックライトユニット３０は、典型的には複数のＬＥＤ（Light Emitting Diode）を含んでいる。バックライトユニット３０は、表示制御回路２００により制御されるものであっても良いし、その他の方法により制御されるものであっても良い。なお、液晶表示パネル１０が反射型である場合には、バックライトユニット３０は設ける必要がない。
【００３８】
以上のようにして、データ信号線ＳＬ１〜ＳＬｍに駆動用画像信号Ｓ１〜Ｓｍがそれぞれ印加され、走査信号線ＧＬ１〜ＧＬｎに走査信号Ｇ１〜Ｇｎがそれぞれ印加され、バックライトユニット３０が駆動されることにより、外部からの入力信号Ｓｉｎに含まれるデータ信号の表す画像が液晶表示パネル１０の表示部１００に表示される。
【００３９】
＜１．２  ＤＣ−ＤＣコンバータの構成および動作＞
図２は、ＤＣ−ＤＣコンバータ６００において入力電源電圧ＶＰＷｉｎのレベルよりも高いレベルの電源電圧ＶＰＷ１を生成する部分すなわち昇圧部の概略構成を示している。ＤＣ−ＤＣコンバータ６００は、当該電源電圧ＶＰＷ１を構成する電源電圧のうち入力電源電圧ＶＰＷｉｎのレベルよりも高いレベルの正電源電圧（入力電源電圧ＶＰＷｉｎと同極性の電源電圧）のそれぞれにつき、図２に示すような昇圧部を含んでいる。この昇圧部は、昇圧型ＤＣ−ＤＣコンバータＩＣ６１０ｕとインダクタＬｕとダイオードＤｕとコンデンサＣｕとを有している。昇圧型ＤＣ−ＤＣコンバータＩＣ６１０ｕは、スイッチング素子としてのＮチャネル形ＭＯＳ（Metal Oxide Semiconductor）トランジスタ（以下「Ｎｃｈトランジスタ」という）Ｑｎｕと、そのＮｃｈトランジスタＱｎｕのゲート端子に与えるべきスイッチング制御信号Ｓｇを生成するための内部制御回路６１２ｕとを有している。また、このＤＣ−ＤＣコンバータＩＣ６１０ｕは、入力電源電圧ＶＰＷｉｎに相当する入力電圧Ｖｉｎを受け取るための電圧入力端子Ｔｉと、ＮｃｈトランジスタＱｎｕの動作についての制御モードを切り換えるためのモード制御信号Ｃｍを受け取るための制御入力端子Ｔｃと、昇圧された電源電圧Ｖｏｕｔを入力するための出力電圧端子Ｔｏと、インダクタＬｕを接続するための素子接続端子ＴＬと、接地端子Ｔｇとを外部端子として備えている。ＮｃｈトランジスタＱｎｕのドレイン端子およびソース端子は、素子接続端子ＴＬおよび接地端子Ｔｇにそれぞれ接続されている。
【００４０】
入力電圧Ｖｉｎ（入力電源電圧ＶＰＷｉｎ）は、ＤＣ−ＤＣコンバータＩＣ６１０ｕの電圧入力端子Ｔｉを介して内部制御回路６１２ｕに入力されると共に、インダクタＬｕの一端に与えられる。電源制御部２２０で生成されるモード制御信号Ｃｍも制御入力端子Ｔｃを介して内部制御回路６１２ｕに入力される。インダクタＬｕの他端は、ＤＣ−ＤＣコンバータＩＣ６１０ｕの素子接続端子ＴＬおよびダイオードＤｕのアノードに接続される。ダイオードＤｕのカソードは、ＤＣ−ＤＣコンバータＩＣ６１０ｕの出力電圧端子ＴｏおよびコンデンサＣｕの一端に接続され、コンデンサＣｕの他端は接地される。ダイオードＤｕのカソードとコンデンサＣｕとの接続点の電圧すなわち出力電圧端子Ｔｏの電圧は出力電圧Ｖｏｕｔとして出力される。この出力電圧Ｖｏｕｔは、入力電圧Ｖｉｎを昇圧した電圧であり、パネル用電源電圧ＶＰＷ１を構成する１つの電源電圧として使用される。
【００４１】
内部制御回路６１２ｕは、ＮｃｈトランジスタＱｎｕをオン／オフさせるパルス信号としてスイッチング制御信号Ｓｇを生成する。このスイッチング制御信号ＳｇによるＮｃｈトランジスタＱｎｕのスイッチング動作によりインダクタＬｕに流れる電流が変化し、これにより、入力電圧Ｖｉｎのレベルよりも高いレベルの出力電圧ＶｏｕｔがダイオードＤｕのカソード側に生成される。内部制御回路６１２ｕは、この出力電圧Ｖｏｕｔのレベルが所定値（目標値）となるようにスイッチング制御信号Ｓｇのパルス幅またはパルス周波数を調整する。すなわち、モード制御信号Ｃｍがハイレベル（Ｈレベル）のときには、出力電圧Ｖｏｕｔのレベルが目標値となるようにパルス幅変調方式によりＮｃｈトランジスタＱｎｕのスイッチング動作を制御し（以下、このような制御を「ＰＷＭ制御」という）、モード制御信号Ｃｍがローレベル（Ｌレベル）のときには、出力電圧Ｖｏｕｔのレベルが目標値となるようにパルス周波数変調方式によりＮｃｈトランジスタＱｎｕのスイッチング動作を制御する（以下、このような制御を「ＰＦＭ制御」という）。ここでの目標値は、出力電圧Ｖｏｕｔのレベルに相当し入力電圧Ｖｉｎのレベルよりも大きい値である。また、ここでのパルス周波数変調方式には、固定周期のスイッチング動作を基本としつつ負荷に応じてスイッチングをスキップするパルススキップ方式も含まれる（以下においても同様）。
【００４２】
なお、ＤＣ−ＤＣコンバータ６００における上記昇圧部で使用可能な昇圧型ＤＣ−ＤＣコンバータＩＣは市販されている。また、モード制御信号ＣｍとしてＨレベルを与えるとＰＷＭ制御モードで動作し、モード制御信号ＣｍとしてＬレベルを与えると負荷に応じてＰＷＭ制御とＰＦＭ制御との間で制御方式が切り替わるように構成された昇圧型ＤＣ−ＤＣコンバータＩＣも市販されている（例えば日本のリコー株式会社から入手可能な型番ＲＰ４０１ｘを上記のＤＣ−ＤＣコンバータＩＣ６１０ｕとして使用することができる）。
【００４３】
図３は、ＤＣ−ＤＣコンバータ６００において入力電源電圧ＶＰＷｉｎの極性を反転させた所望の直流電圧を生成する部分（以下「反転部」という）の概略構成を示している。ＤＣ−ＤＣコンバータ６００は、当該電源電圧ＶＰＷ１を構成する電源電圧のうち入力電源電圧ＶＰＷｉｎと異なる極性の電源電圧すなわち負電源電圧のそれぞれにつき、図２に示すような反転部を含んでいる。この反転部は、反転型ＤＣ−ＤＣコンバータＩＣ６１０ｒとインダクタＬｒとダイオードＤｒとコンデンサＣｒとを有している。反転型ＤＣ−ＤＣコンバータＩＣ６１０ｒは、スイッチング素子としてのＰチャネル形ＭＯＳトランジスタ（以下「Ｐｃｈトランジスタ」という）Ｑｐｒと、そのＰｃｈトランジスタＱｐｒのゲート端子に与えるべきスイッチング制御信号Ｓｇを生成するための内部制御回路６１２ｒとを有している。また、このＤＣ−ＤＣコンバータＩＣ６１０ｒは、入力電源電圧ＶＰＷｉｎに相当する入力電圧Ｖｉｎを受け取るための電圧入力端子Ｔｉと、ＰｃｈトランジスタＱｐｒの動作についての制御モードを切り換えるためのモード制御信号Ｃｍを受け取るための制御入力端子Ｔｃと、電源電圧Ｖｏｕｔを入力するための出力電圧端子Ｔｏと、インダクタＬｒを接続するための素子接続端子ＴＬと、接地端子Ｔｇとを外部端子として備えている。ＰｃｈトランジスタＱｐｒのドレイン端子およびソース端子は、素子接続端子ＴＬおよび電圧入力端子Ｔｉにそれぞれ接続されている。
【００４４】
入力電圧Ｖｉｎ（入力電源電圧ＶＰＷｉｎ）は、ＤＣ−ＤＣコンバータＩＣ６１０ｒの電圧入力端子Ｔｉを介してＰｃｈトランジスタＱｐｒのソース端子に与えられる。電源制御部２２０で生成されるモード制御信号Ｃｍは、制御入力端子Ｔｃを介して内部制御回路６１２ｒに入力される。インダクタＬｒの一端は、ＤＣ−ＤＣコンバータＩＣ６１０ｒの素子接続端子ＴＬおよびダイオードＤｒのカソードに接続され、インダクタＬｒの他端は接地されている。ダイオードＤｒのアノードは、コンデンサＣｒの一端に接続され、コンデンサＣｒの他端は接地されている。このダイオードＤｒのアノードとコンデンサＣｒとの接続点の電圧は、出力電圧Ｖｏｕｔとして出力されると共に、ＤＣ−ＤＣコンバータＩＣ６１０ｒの出力電圧端子Ｔｏを介して内部制御回路６１２ｒに入力される。この出力電圧Ｖｏｕｔは、入力電圧Ｖｉｎの極性が反転されると共に電圧レベルも変換された電圧（負電圧）であり、パネル用電源電圧ＶＰＷ１を構成する１つの電源電圧として使用される。
【００４５】
内部制御回路６１２ｒは、ＰｃｈトランジスタＱｐｒをオン／オフさせるパルス信号としてスイッチング制御信号Ｓｇを生成する。このスイッチング制御信号ＳｇによるＰｃｈトランジスタＱｐｒのスイッチング動作によりダイオードＤｒのアノードに負電圧が発生する。すなわち、ＰｃｈトランジスタＱｐｒがオン状態のとき、正電圧である入力電圧ＶｉｎがＰｃｈトランジスタＱｐｒを介してインダクタＬｒに印加され、インダクタＬｒに電流が流れる。次にＰｃｈトランジスタＱｐｒがオフ状態となると、ダイオードＤｒを介してインダクタＬｒに電流が流れ、ダイオードＤｒのアノード側のコンデンサＣｒが負の電圧に充電される。次にＰｃｈトランジスタＱｐｒがオン状態になると、インダクタＬｒの上記一端すなわちダイオードＤｒのカソードには正電圧（入力電圧Ｖｉｎ）が印加されるが、ダイオードＤｒのアノード側ではコンデンサＣｒに負電圧が保持されている。このようにして、ＰｃｈトランジスタＱｐｒのスイッチング動作によりダイオードＤｒのアノードに負の出力電圧Ｖｏｕｔが得られる。この出力電圧Ｖｏｕｔのレベルは、内部制御回路６１２ｒにおいてスイッチング制御信号Ｓｇのパルス幅またはパルス周波数を調整することにより所定値（目標値）に制御される。
【００４６】
なお一般に、反転型ＤＣ−ＤＣコンバータＩＣは、その具体的構成が周知であり市販もされているので、当業者は、図３に示したような反転型ＤＣ−ＤＣコンバータ６００を容易に実現することができる。
【００４７】
図４は、ＤＣ−ＤＣコンバータ６００において入力電源電圧ＶＰＷｉｎのレベルよりも低いレベルの電源電圧ＶＰＷ２を生成する部分すなわち降圧部の概略構成を示している。ＤＣ−ＤＣコンバータ６００は、当該電源電圧ＶＰＷ２を構成する１つの電源電圧毎に、図４に示すように構成された降圧部を含んでいる。この降圧部は、同期整流方式降圧型ＤＣ−ＤＣコンバータＩＣ６１０ｄとインダクタＬｄとコンデンサＣｄとを有している。降圧型ＤＣ−ＤＣコンバータＩＣ６１０ｄは、スイッチング素子としてのＰチャネル形ＭＯＳトランジスタ（Ｐｃｈトランジスタ）Ｑｐｄと、スイッチング素子としてのＮチャネル形ＭＯＳトランジスタ（Ｎｃｈトランジスタ）Ｑｎｄと、それらＰｃｈトランジスタＱｐｄおよびＮｃｈトランジスタＱｎｄのゲート端子にそれぞれ与えるべきスイッチング制御信号ＳｇｐおよびＳｇｎを生成するための内部制御回路６１２ｄとを有している。また、降圧型ＤＣ−ＤＣコンバータＩＣ６１０ｄは、入力電源電圧ＶＰＷｉｎに相当する入力電圧Ｖｉｎを受け取るための電圧入力端子Ｔｉと、ＰｃｈトランジスタＱｐｄおよびＮｃｈトランジスタＱｎｄの動作の制御方式を切り換えるためのモード制御信号Ｃｍを受け取るための制御入力端子Ｔｃと、降圧された電源電圧Ｖｏｕｔを入力するための出力電圧端子Ｔｏと、インダクタＬｄを接続するための素子接続端子ＴＬと、接地端子Ｔｇとを外部端子として備えている。ＰｃｈトランジスタＱｐｄのドレイン端子およびソース端子は素子接続端子ＴＬおよび電圧入力端子Ｔｉにそれぞれ接続され、ＮｃｈトランジスタＱｎｄのドレイン端子およびソース端子は素子接続端子ＴＬおよび接地端子Ｔｇにそれぞれ接続されている。
【００４８】
入力電圧Ｖｉｎ（入力電源電圧ＶＰＷｉｎ）は、ＤＣ−ＤＣコンバータＩＣ６１０ｄの電圧入力端子Ｔｉを介してＰｃｈトランジスタＱｐｄのソース端子に与えられる。電源制御部２２０で生成されるモード制御信号Ｃｍは、制御入力端子Ｔｃを介して内部制御回路６１２ｄに入力される。ＤＣ−ＤＣコンバータＩＣ６１０ｄの素子接続端子ＴＬおよび出力電圧端子ＴｏにはインダクタＬｄの一端および他端がそれぞれ接続されている。また、出力電圧端子ＴｏにはコンデンサＣｄの一端が接続され、コンデンサＣｄの他端は接地されている。インダクタＬｄとコンデンサＣｄとの接続点の電圧すなわち出力電圧端子Ｔｏの電圧は出力電圧Ｖｏｕｔとして出力される。この出力電圧Ｖｏｕｔは、入力電圧Ｖｉｎを降圧した電圧であり、ロジック用電源電圧ＶＰＷ２を構成する１つの電源電圧として使用される。
【００４９】
内部制御回路６１２ｄは、ＰｃｈトランジスタＱｐｄとＮｃｈトランジスタＱｎｄを互いに相反的にオン／オフさせるパルス信号としてスイッチング制御信号ＳｇｐおよびＳｇｎを生成する。これらのスイッチング制御信号ＳｇｐおよびＳｇｎによるＰｃｈトランジスタＱｐｄとＮｃｈトランジスタＱｎｄの相反的なスイッチング動作によりインダクタＬｄに流れる電流が変化し、これにより、入力電圧Ｖｉｎのレベルよりも低いレベルの出力電圧がインダクタＬｄとコンデンサＣｄとの接続点（出力電圧端子Ｔｏ）に生成される。内部制御回路６１２ｄは、この出力電圧Ｖｏｕｔのレベルが所定値（目標値）となるようにスイッチング制御信号Ｓｇｐ、Ｓｇｎのパルス幅またはパルス周波数を調整する。すなわち、内部制御回路６１２ｄは、モード制御信号ＣｍがＨレベルのときには、出力電圧Ｖｏｕｔのレベルが目標値となるようにパルス幅変調方式によりＰｃｈトランジスタＱｐｄおよびＮｃｈトランジスタＱｎｄのスイッチング動作を制御し（すなわちＰＷＭ制御を行い）、モード制御信号ＣｍがＬレベルのときには、出力電圧Ｖｏｕｔのレベルが目標値となるようにパルス周波数変調方式によりＰｃｈトランジスタＱｐｄおよびＮｃｈトランジスタＱｎｄのスイッチング動作を制御する（すなわちＰＦＭ制御を行う）。
【００５０】
なお、ＤＣ−ＤＣコンバータ６００における上記降圧部で使用可能な降圧型ＤＣ−ＤＣコンバータＩＣは市販されている（例えば、日本のリコー株式会社から入手可能な型番ＲＰ９０４ＺのＩＣを上記のＤＣ−ＤＣコンバータＩＣ６１０ｄとして使用することができる）。また、モード制御信号ＣｍとしてＨレベルを与えるとＰＷＭ制御で動作し、モード制御信号ＣｍとしてＬレベルを与えると負荷に応じてＰＷＭ制御とＰＦＭ制御との間で制御方式が切り替わるように構成された降圧型ＤＣ−ＤＣコンバータＩＣも市販されている（例えば日本のリコー株式会社から入手可能な型番ＲＰ５００ｘのＩＣを上記のＤＣ−ＤＣコンバータＩＣ６１０ｄとして使用することができる）。
【００５１】
上記のように、本実施形態におけるＤＣ−ＤＣコンバータ６００の昇圧部、反転部、および降圧部は図２、図３、および図４にそれぞれ示すように構成されている。しかし、本発明で使用可能なＤＣ−ＤＣコンバータの構成は、これらの構成に限定されるものではなく、誘導素子に流れる電流をスイッチング素子によって変化させることで直流電圧のレベルを変化させる構成であって、軽負荷時での電源変換効率の低下を回避できるように当該スイッチング素子の動作の制御方式を切り換えることができるものであればよい。また、図２、図３、および図４にそれぞれ示した構成において使用される昇圧型、反転型、および降圧型のＤＣ−ＤＣコンバータＩＣ６１０ｕ，６１０ｒ，６１０ｄのうち２つまたは全てを１個のＩＣとして実現してもよい。さらに、これらのＤＣ−ＤＣコンバータＩＣ６１０ｕ，６１０ｒ，６１０ｄを使用する代わりに、これらのＤＣ−ＤＣコンバータＩＣ６１０ｕ，６１０ｒ，６１０ｄの機能の一部または全部を、表示制御回路２００または後述のシステムドライバ７００（図１４）等として使用する他のＩＣの内部に組み込んだ構成としてもよい。
【００５２】
＜１．３  動作＞
本実施形態に係る液晶表示装置は、通常駆動モードと間欠駆動モードとの間で駆動回路５００の動作モードを切り換えることができるように構成されている。ここで、通常駆動モードは、表示部１００における表示画像をリフレッシュするリフレッシュ期間のみが繰り返し現れる動作モードであり、間欠駆動モードは、表示部１００における表示画像をリフレッシュするリフレッシュ期間と表示部１００における表示画像のリフレッシュを休止する非リフレッシュ期間とが交互に現れる動作モードである。これら通常駆動モードおよび間欠駆動モードのいずれの動作モードを使用するかは、外部から与えられる所定の制御信号または所定の設定スイッチ（図示せず）により選択できるように構成されている。なお、これら通常駆動モードおよび間欠駆動モードは、液晶表示装置の動作モードとみなすこともできる。
【００５３】
＜１．３．１  間欠駆動モードにおける動作＞
図５は、本実施形態に係る液晶表示装置の間欠駆動モードでの動作を説明するための信号波形図である。この図５は、説明の便宜上、走査信号線数をｎ＝４として描かれている（後述の図８、図９、図１０、図１２、図１３においても同様）。本実施形態では、表示部１００に画像が表示されているときには、表示部１００における各画素形成部１１０の画素容量Ｃｐに画素データとして保持されている画素電圧が所定の周期で書き換えられる。すなわち、表示部１００における表示画像は所定の周期でリフレッシュされる。本実施形態における間欠駆動モードでは、このリフレッシュ周期は３フレーム期間であって、リフレッシュ期間としての１フレーム期間の後に非リフレッシュ期間としての２フレーム期間が続く。なお、リフレッシュ周期は２フレーム期間以上であればよく、その具体値は表示部１００に表示すべき画像の変化頻度等を考慮して決定される。例えば、リフレッシュ期間（以下「ＲＦ期間」ともいう）としての１フレーム期間とそれに続く非リフレッシュ期間（以下「ＮＲＦ期間」ともいう）としての５９フレーム期間からなる６０フレーム期間をリフレッシュ周期とすることができ、この場合、リフレッシュレートは１Ｈｚとなる。また、リフレッシュ期間は２フレーム期間以上の長さであってもよい（後述の他の実施形態においても同様）。
【００５４】
本実施形態における駆動制御部２１０は、図５に示すように１フレーム期間（１垂直期間）毎に所定期間だけＨレベルとなる垂直同期信号ＶＳＹを生成し、この垂直同期信号ＶＳＹを走査側制御信号ＧＣＴの１つとして走査信号線駆動回路４００に与える。
【００５５】
リフレッシュ期間に該当するフレーム期間のうち有効垂直走査期間（すなわち垂直同期信号がＨレベルの期間を含む垂直ブランキング期間を除く期間）において、表示部１００の走査信号線ＧＬ１〜ＧＬ４にそれぞれ印加される走査信号Ｇ１〜Ｇ４は順次アクティブ（Ｈレベル）となる。また、リフレッシュ期間における有効垂直走査期間では、表示すべき画像を表す駆動用画像信号Ｓ１〜Ｓｍが表示部１００のデータ信号線ＳＬ１〜ＳＬｍにそれぞれ印加される。これにより、表示すべき画像を構成する各画素を表す画素電圧が画素データとして画素形成部１１０（の画素容量Ｃｐ）に書き込まれる。
【００５６】
非リフレッシュ期間に該当するフレーム期間では、全ての走査信号Ｇ１〜Ｇ４は非アクティブ（Ｌレベル）であって表示部１００における走査信号線ＧＬ１〜ＧＬ４は全て非選択状態となっている。このため、非リフレッシュ期間では、その直前のリフレッシュ期間に表示部１００の各画素形成部１１０に書き込まれた画素データがそのまま保持され、これにより、当該直前のリフレッシュ期間の終了時点の表示部１００における画像表示が継続する。このような非リフレッシュ期間では、駆動回路５００（データ信号線駆動回路３００および走査信号線駆動回路４００）による表示部１００の駆動が休止し、駆動回路５００における消費電力が大幅に低減される。すなわち、駆動回路５００に電源電圧ＶＰＷ１を供給するＤＣ−ＤＣコンバータ６００の負荷が大幅に軽減される。
【００５７】
上記のようなリフレッシュ期間と非リフレッシュ期間とが交互に現れる間欠駆動モードでは、リフレッシュ期間と非リフレッシュ期間とで駆動回路５００の消費電力が大きく異なることによりＤＣ−ＤＣコンバータ６００の負荷が大きく異なり、これに応じて、ＤＣ−ＤＣコンバータ６００の制御モードが切り換えられる。すなわち図５に示すように、電源制御部２２０からＤＣ−ＤＣコンバータ６００に入力されるモード制御信号Ｃｍは、リフレッシュ期間ではＨレベルとなり、非リフレッシュ期間ではＬレベルとなる。なお、図５に示すモード制御信号Ｃｍは、リフレッシュ期間全体でＨレベルとなっているが、各リフレッシュ期間のうち垂直同期信号ＶＳＹがＨレベルである期間または垂直ブランキング期間においてモード制御信号ＣｍがＬレベルである構成であってもよい。各リフレッシュ期間において駆動回路５００は表示部１００を駆動していると言えるが、より詳細に見ると、各リフレッシュ期間のうち垂直同期信号ＶＳＹがＨレベルである期間を含む垂直ブランキング期間では、駆動回路５００は表示部１００を実際には駆動していないからである。
【００５８】
図６は、間欠駆動モードにおけるＤＣ−ＤＣコンバータ６００の動作を説明するためのタイミングチャートである。リフレッシュ期間では、既述のように各画素形成部１１０に画素データを書き込むことにより表示部１００における表示画像がリフレッシュされ、ＤＣ−ＤＣコンバータ６００の負荷は比較的大きい。このように液晶表示パネル１０がリフレッシュ動作状態であるときには、図６に示すようにモード制御信号ＣｍがＨレベルであるので、ＤＣ−ＤＣコンバータ６００はＰＷＭ制御モードで動作する。すなわち、生成すべきパネル用電源電圧ＶＰＷ１のレベルが所定レベル（目標値）となるように内部のスイッチング素子（図２に示す昇圧型ＤＣ−ＤＣコンバータＩＣ６１０ｕ内のＮｃｈトランジスタＱｎｕ）の動作がパルス幅変調方式で制御される。一般に、ＰＷＭ制御モードで動作するＤＣ−ＤＣコンバータの電源変換効率は、負荷が大きい場合には比較的高くなる。ここで電源変換効率は、ＤＣ−ＤＣコンバータに与えられる電力のうちＤＣ−ＤＣコンバータから供給される電力の割合を示すものであり、単に「変換効率」ともいう。本実施形態の場合、リフレッシュ期間においてＰＷＭ制御モードで動作するＤＣ−ＤＣコンバータ６００の電源変換効率は例えば８５％である。
【００５９】
非リフレッシュ期間では、既述のように全ての走査信号線ＧＬ１〜ＧＬ４は非選択状態であって走査が行われず駆動回路５００は実質的に休止するので、ＤＣ−ＤＣコンバータ６００の負荷はリフレッシュ期間に比べて格段に小さい。このように駆動回路５００が実質的に休止することで液晶表示パネル１０が休止状態となっているときには、図６に示すようにモード制御信号ＣｍがＬレベルであるので、ＤＣ−ＤＣコンバータ６００は、ＰＦＭ制御モードで動作する。すなわち、生成すべきパネル用電源電圧ＶＰＷ１のレベルが所定レベル（目標値）となるように内部のスイッチング素子（図２に示す昇圧型ＤＣ−ＤＣコンバータＩＣ６１０ｕ内のＮｃｈトランジスタＱｎｕ）の動作がパルス周波数変調方式で制御される。一般に、ＰＷＭ制御モードで動作するＤＣ−ＤＣコンバータでは、負荷が小さくなっても、内部のスイッチング損失等は減らないので、電源変換効率は、負荷が小さくなると低下する。これに対し、ＤＣ−ＤＣコンバータをＰＦＭ制御モードで動作させることにより軽負荷時の電源変換効率を向上させることができる。本実施形態の場合、非リフレッシュ期間すなわち液晶表示パネル１０が休止状態のときにＰＦＭ制御モードで動作するＤＣ−ＤＣコンバータ６００の電源変換効率は例えば８０％である。
【００６０】
図７は、従来の液晶表示装置が間欠駆動モードで動作しているときのＤＣ−ＤＣコンバータの動作を説明するためのタイミングチャートである。従来の液晶表示装置において使用されるＤＣ−ＤＣコンバータは、リフレッシュ期間か非リフレッシュ期間かに拘わらずＰＷＭ制御の下で動作する。このため、ＤＣ−ＤＣコンバータの負荷が小さくなる非リフレッシュ期間の電源変換効率すなわち液晶表示パネルが休止状態のときの電源変換効率が低くなる（例えば３５％となる）。
【００６１】
図６を図７と比較すればわかるように、本実施形態によれば、間欠駆動モードのときには、ＤＣ−ＤＣコンバータ６００におけるスイッチング素子（ＮｃｈトランジスタＱｎｕ）の動作がリフレッシュ期間ではＰＷＭ方式で制御され非リフレッシュ期間ではＰＦＭ方式で制御されるので、液晶表示装置２の動作期間全体における電源変換効率が従来に比べて大きく向上する。
【００６２】
なお、本実施形態におけるＤＣ−ＤＣコンバータ６００では、パネル用電源電圧ＶＰＷ１を生成する昇圧部（図２）は非リフレッシュ期間においてＰＦＭ制御モードで動作するが、ロジック用電源電圧ＶＰＷ２を生成する降圧部（図４）は非リフレッシュ期間においてもＰＷＭ制御モードで動作する。ただし、非リフレッシュ期間において外部からの入力信号Ｓｉｎを受け取る必要がない場合には、非リフレッシュ期間において駆動制御部２１０も休止状態としロジック用電源電圧ＶＰＷ２を生成する降圧部もＰＦＭ制御モードで動作する構成としてもよい。
【００６３】
＜１．３．２  通常駆動モードにおける動作＞
図８は、本実施形態に係る液晶表示装置の通常駆動モードでの動作を説明するための信号波形図である。本実施形態における駆動制御部２１０は、１フレーム期間（１垂直期間）毎に所定期間だけＨレベルとなる垂直同期信号ＶＳＹを生成し、この垂直同期信号ＶＳＹを走査側制御信号ＧＣＴの１つとして走査信号線駆動回路４００に与える。通常駆動モードでは、図８に示すようにリフレッシュ期間のみが繰り返し現れる。すなわち、各フレーム期間の有効垂直走査期間において、表示部１００の走査信号線ＧＬ１〜ＧＬ４にそれぞれ印加される走査信号Ｇ１〜Ｇ４は順次アクティブ（Ｈレベル）となり、また、表示すべき画像を表す駆動用画像信号Ｓ１〜Ｓｍが表示部１００のデータ信号線ＳＬ１〜ＳＬｍにそれぞれ印加される。これにより、表示すべき画像を構成する各画素を表す画素電圧が画素データとして画素形成部１１０（の画素容量Ｃｐ）に書き込まれる。すなわち、各フレーム期間において表示部１００における表示画像がリフレッシュされる。
【００６４】
このようにリフレッシュ期間のみが繰り返し現れる通常駆動モードでは、図８に示すように、電源制御部２２０からＤＣ−ＤＣコンバータ６００に入力されるモード制御信号Ｃｍは常にＨレベルとなっている。これにより、ＤＣ−ＤＣコンバータ６００は常にＰＷＭ制御モードで動作する。通常駆動モードでは、ＤＣ−ＤＣコンバータ６００の負荷はほぼ全期間において大きいので、ＤＣ−ＤＣコンバータ６００の電源変換効率もほぼ全期間において高くなる。
【００６５】
＜１．４  効果＞
上記のような本実施形態によれば、スイッチング素子の動作によってインダクタに流れる電流を変化させることにより電圧レベルを変換するＤＣ−ＤＣコンバータ６００を用いて電源電圧ＶＰＷ１，ＶＰＷ２が生成される。このため、チャージポンプ方式の電源回路では駆動に必要な電流を十分に供給できない大型または高精細（高解像度）の液晶表示パネルの駆動回路にも、ＤＣ−ＤＣコンバータ６００から十分な電流を供給することができる。
【００６６】
このようなＤＣ−ＤＣコンバータを電源回路として使用した従来の液晶表示装置では、そのＤＣ−ＤＣコンバータが常にＰＷＭ制御により動作するので、その液晶表示装置が間欠駆動モードで動作する場合、非リフレッシュ期間において電源変換効率が低下する（図７参照）。これに対し本実施形態によれば、ＤＣ−ＤＣコンバータ６００がリフレッシュ期間ではＰＷＭ制御モードで動作し非リフレッシュ期間ではＰＦＭ制御モードで動作するように制御モードが切り換えられるので、間欠駆動が行われる場合であっても動作期間全体において電源変換効率を高く維持することができる（図６参照）。
【００６７】
このようにして本実施形態によれば、大型または高精細の液晶表示パネルの駆動に十分な電流を電源回路（ＤＣ−ＤＣコンバータ）から駆動回路に供給しつつ、間欠駆動による消費電力の低減効果を損なわない高い変換効率で電源電圧を生成することができる。
【００６８】
＜１．５  変形例＞
上記第１の実施形態において、垂直同期信号ＶＳＹがＨレベルとなる期間を含む垂直ブランキング期間すなわち有効垂直走査期間以外の期間では、データ信号線ＳＬ１〜ＳＬｍおよび走査信号線ＧＬ１〜ＧＬｎはいずれも駆動されないので（表示部１００の駆動が休止しているので）、駆動回路５００の消費電力は有効垂直走査期間に比べて格段に小さい。したがって、図９に示すように、通常駆動モードにおいて、電源制御部２２０からＤＣ−ＤＣコンバータ６００に入力されるモード制御信号Ｃｍが垂直ブランキング期間ＴｖｂにおいてＬレベルとなりそれ以外の期間でＨレベルとなる構成としてもよい。このようにすれば、ＤＣ−ＤＣコンバータ６００は、その負荷が小さい垂直ブランキング期間ＴｖｂではＰＦＭ制御モードで動作するので、モード制御信号Ｃｍを常にＨレベルとする構成（図８）よりも電源変換効率を高くすることができる。
【００６９】
上記第１の実施形態におけるＤＣ−ＤＣコンバータ６００は、モード制御信号ＣｍがＨレベルのときにはＰＷＭ制御モードで動作し、モード制御信号ＣｍがＬレベルのときにはＰＦＭ制御モードで動作するが、これに代えて、モード制御信号ＣｍがＨレベルときには同じくＰＷＭ制御で動作するが、モード制御信号ＣｍがＬレベルのときには負荷に応じてＰＷＭ制御とＰＦＭ制御との間で制御方式が切り替わる構成としてもよい。このような構成のＤＣ−ＤＣコンバータ６００を使用した場合、電源制御部２２０が、間欠駆動モードでは図１０（Ａ）に示すようにＬレベルのモード制御信号Ｃｍを出力し、通常駆動モードでは図１０（Ｂ）に示すようにＨレベルのモード制御信号Ｃｍを出力するようにすればよい。これにより、リフレッシュ期間において表示部１００が駆動されてリフレッシュ動作状態であるときは、ＤＣ−ＤＣコンバータ６００はその負荷が大きいのでＰＷＭ制御モードで動作し、非リフレッシュ期間や垂直ブランキング期間において表示部１００が休止しているときにはその負荷が格段に小さいのでＰＦＭ制御モードで動作する。したがって、上記構成のＤＣ−ＤＣコンバータ６００を使用した場合においても、上記第１の実施形態または図９に示した上記変形例と同様の効果が得られる。
【００７０】
＜２．第２の実施形態＞
図１１は、本発明の第２の実施形態に係る液晶表示装置２の構成を示すブロック図である。図１１に示すように、この液晶表示装置２も、上記第１の実施形態と同様、液晶表示パネル１０と、バックライトユニット３０と、表示の制御および電源のための回路が搭載されたプリント配線板６０とを備えている。しかし、本実施形態におけるプリント配線板６０には、電源回路としてＤＣ−ＤＣコンバータ６００に代えて第１および第２のＤＣ−ＤＣコンバータ６０１，６０２からなる２個のＤＣ−ＤＣコンバータが搭載されている。また、本実施形態におけるプリント配線板６０には、駆動制御部２１０および電源制御部２２０を含む表示制御回路２００も搭載されており、電源制御部２２０は、第１および第２のモード制御信号Ｃｍ１，Ｃｍ２からなる２つのモード制御信号を出力する。これら第１および第２のモード制御信号Ｃｍ１，Ｃｍ２は、第１および第２のＤＣ−ＤＣコンバータ６０１，６０２にそれぞれ入力される。このような表示制御回路２００および電源回路（第１および第２のＤＣ−ＤＣコンバータ６０１，６０２）以外の構成は上記第１の実施形態における構成と同様であるので、同一または対応する部分には同一の参照符号を付して詳しい説明を省略する。
【００７１】
図１２は、本実施形態に係る液晶表示装置の間欠駆動モードでの動作を説明するための信号波形図である。本実施形態においても、間欠駆動モードでは表示部１００における表示画像は所定のリフレッシュ周期でリフレッシュされ、このリフレッシュ周期は３フレーム期間であって、リフレッシュ期間としての１フレーム期間の後に非リフレッシュ期間としての２フレーム期間が続く。
【００７２】
本実施形態における駆動回路（データ信号線駆動回路３００および走査信号線駆動回路４００）も、図１２に示すように上記第１の実施形態と同様に動作する。
【００７３】
本実施形態における電源制御部２２０が生成する第１および第２のモード制御信号Ｃｍ１，Ｃｍ２のうち、第１モード制御信号Ｃｍ１は、図１２に示すように、リフレッシュ期間ではＨレベルとなり、非リフレッシュ期間ではＬレベルとなっている。なお、図１２に示す第１のモード制御信号Ｃｍ１は、リフレッシュ期間全体でＨレベルとなっているが、各リフレッシュ期間のうち垂直同期信号ＶＳＹがＨレベルである期間または垂直ブランキング期間においてモード制御信号ＣｍがＬレベルである構成であってもよい。一方、第２のモード信号Ｃｍ２は常にＨレベルとなっている。
【００７４】
第１のＤＣ−ＤＣコンバータ６０１は、例えば図２に示すような構成の昇圧部を複数個用いて構成される。この第１のＤＣ−ＤＣコンバータ６０１は、入力電源電圧ＶＰＷｉｎを受け取り、その電圧レベルを変更することにより（昇圧することにより）パネル用電源電圧ＶＰＷ１を生成する。このパネル用電源電圧ＶＰＷ１は駆動回路５００に与えられる。このパネル用電源電圧ＶＰＷ１の生成において第１のＤＣ−ＤＣコンバータ６０１は、第１のモード制御信号Ｃｍ１に基づき、リフレッシュ期間ではＰＷＭ制御モードで動作し、非リフレッシュ期間ではＰＦＭ制御モードで動作する。これにより、第１のＤＣ−ＤＣコンバータ６０１の電源変換効率は、リフレッシュ期間のみならず非リフレッシュ期間においても高く維持される。
【００７５】
第２のＤＣ−ＤＣコンバータ６０２は、例えば図４に示すような構成の降圧部を用いて構成される。この第２のＤＣ−ＤＣコンバータ６０２は、入力電源電圧ＶＰＷｉｎを受け取り、その電圧レベルを変更することにより（降圧することにより）ロジック用電源電圧ＶＰＷ２を生成する。このロジック用電源電圧ＶＰＷ２は駆動回路５００（のロジック部）および表示制御回路２００に与えられる。第２のモード制御信号Ｃｍ２は常にＨレベルであるので、第２のＤＣ−ＤＣコンバータ６０２は、常にＰＷＭ制御モードで動作する。
【００７６】
しかし、非リフレッシュ期間において外部からの入力信号Ｓｉｎを受け取る必要がない場合には、非リフレッシュ期間において、駆動制御部２１０も休止状態とし、図１３に示すように第２のモード制御信号Ｃｍ２をＬレベルとすることで、ロジック用電源電圧ＶＰＷ２を生成する第２のＤＣ−ＤＣコンバータ６０２も非リフレッシュ期間においてＰＦＭ制御モードで動作する構成としてもよい。また、非リフレッシュ期間においても駆動制御部２１０を通常に動作させておき、垂直同期信号ＶＳＹがＨレベルとなる期間または垂直ブランキング期間においてＬレベルとなりその他の期間でＨレベルとなる第２のモード制御信号Ｃｍ２を生成する構成としてもよい。さらに、第２のモード制御信号Ｃｍ２による制御モードの切り換えの態様は、これらに限定されるものではなく、駆動制御部２１０および駆動回路５００のロジック部が休止状態等でそれらの消費電力が十分に小さいときに（第２のＤＣ−ＤＣコンバータ６０２の負荷が所定レベルよりも小さいときに）第２のモード制御信号Ｃｍ２をＬレベルとし、それ以外の期間で第２のモード制御信号Ｃｍ２をＨレベルとすればよい。
【００７７】
上記のような本実施形態によれば、上記第１の実施形態と同様、大型または高精細の液晶表示パネルの駆動に十分な電流を電源回路（ＤＣ−ＤＣコンバータ６０１）から駆動回路に供給しつつ、間欠駆動が行われる場合においても電源変換効率を高く維持することができる。さらに、本実施形態によれば、第１および第２のモード制御信号Ｃｍ１，Ｃｍ２により、第１のＤＣ−ＤＣコンバータ６０１の制御モードと第２のＤＣ−ＤＣコンバータ６０２の制御モードとを独立に制御することができる。このため、駆動制御部２１０および駆動回路５００の動作状態に応じて、第１および第２のモード制御信号Ｃｍ１，Ｃｍ２により、パネル用電源電圧ＶＰＷ１の生成動作とロジック用電源電圧ＶＰＷ２の生成動作のそれぞれをきめ細かく制御することで、第１および第２のＤＣ−ＤＣコンバータ６０１，６０１からなる電源回路の電源変換効率を更に高めることができる。
【００７８】
＜３．第３の実施形態＞
図１４は、本発明の第３の実施形態に係る液晶表示装置２の構成を示すブロック図である。図１４に示すように、この液晶表示装置２も、上記第１の実施形態と同様、液晶表示パネル１０と、バックライトユニット３０と、プリント配線板６０とを備えている。しかし、本実施形態における液晶表示パネル１０には、上記第１の実施形態におけるデータ信号線駆動回路３００に代えてシステムドライバ７００が設けられている。このシステムドライバ７００は、上記第１の実施形態におけるデータ信号線駆動回路３００と表示制御回路２００とが一体化された回路である。したがって、上記第１の実施形態における電源制御部２２０もシステムドライバ７００に含まれている。このような本実施形態では、外部からの入力信号Ｓｉｎはプリント配線板６０を介してシステムドライバ７００に入力される。また、プリント配線板６０には、ＤＣ−ＤＣコンバータ６００が搭載されているが、表示制御回路２００はプリント配線板６０から除外されている。このＤＣ−ＤＣコンバータ６００は、第１の実施形態と同様の構成を有し、システムドライバ７００内の電源制御部２２０からモード制御信号Ｃｍを受け取り、このモード制御信号Ｃｍに従って動作することで、外部からの入力電源電圧ＶＰＷｉｎのレベルを変換してパネル用電源電圧ＶＰＷ１およびロジック用電源電圧ＶＰＷ２を生成する。これらのパネル用電源電圧ＶＰＷ１およびロジック用電源電圧ＶＰＷ２は、駆動回路５００（システムドライバ７００および走査信号線駆動回路４００）に与えられる。なお、本実施形態の構成要素のうち第１の実施形態の構成要素と同一または対応するものについては同一の参照符号を付し詳しい説明を省略する。
【００７９】
上記のような構成の本実施形態において、システムドライバ７００内の電源制御部２２０は、第１の実施形態と同様、図５および図８に示すようなモード制御信号Ｃｍを生成し、ＤＣ−ＤＣコンバータ６００は、このモード制御信号Ｃｍに従って動作する。したがって、本実施形態によっても、上記第１の実施形態と同様、大型または高精細の液晶表示パネルの駆動に十分な電流を電源回路（ＤＣ−ＤＣコンバータ）から駆動回路に供給しつつ、間欠駆動が行われる場合においても電源変換効率を高く維持することができる。また、本実施形態においても、第１の実施形態と同様の変形が可能である（図９および図１０参照）。なお、図１４に示した構成では、上記第１の実施形態におけるデータ信号線駆動回路３００と表示制御回路２００とが一体化された回路（典型的には１個のＩＣ）として実現されているが、この一体化された回路（ＩＣ）に走査信号線駆動回路４００も含まれる構成としてもよい。
【００８０】
＜４．他の変形例＞
上記第１〜第３の実施形態およびそれらの変形例では、非リフレッシュ期間および／または垂直ブランキング期間においてＤＣ−ＤＣコンバータがＰＦＭ制御モードで動作するように構成されているが、本発明はこれに限定されるものではなく、電源回路としてのＤＣ−ＤＣコンバータ６００の負荷が小さいためにＰＷＭ制御モードでは電源変換効率が低いときに（例えば４０％以下のときに）ＰＦＭ制御モードで動作するようにＤＣ−ＤＣコンバータの制御モードを切り換える構成であればよい。また、パネル用電源電圧ＶＰＷ１を生成するＤＣ−ＤＣコンバータは、液晶表示装置２が動作している状態において駆動回路５００が表示部１００の駆動を休止している期間（駆動休止期間）にＰＦＭ制御モードで動作するように構成されているが、このような駆動休止期間の全てにおいてＰＦＭ制御モードで動作する必要はなく、このような駆動休止期間中に当該ＤＣ−ＤＣコンバータがＰＷＭ制御モードで動作する期間が含まれていてもよい。
【００８１】
また、上記第１〜第３の実施形態およびそれらの変形例では、パネル用電源電圧ＶＰＷ１は、入力電源電圧ＶＰＷｉｎを昇圧した電圧および入力電源電圧ＶＰＷｉｎの極性を反転した電圧（負電圧）から構成されているが、本発明はこのような構成に限定されるものではない。例えば、パネル用電源ＶＰＷ１を構成する電源電圧の中に、入力電源電圧ＶＰＷｉｎを降圧した電圧が含まれていてもよい。この場合、図４に示したような構成の降圧部がＤＣ−ＤＣコンバータ６００または６０１に含まれることになる。なお、パネル用電源電圧ＶＰＷ１は、入力電源電圧ＶＰＷｉｎを昇圧または降圧した同極性の電圧（正電圧）のみから構成されていてもよい。
【００８２】
なお以上では、液晶表示装置を例に挙げて説明したが、本発明は、これに限定されるものではなく、有機ＥＬ（Electro Luminescence）表示装置等の他の表示装置にも適用することができる。
【産業上の利用可能性】
【００８３】
本発明は、直流電圧のレベルを変換することにより電源電圧を生成する電源回路を備えた表示装置に適用されるものであり、特に、大型または高精細の表示パネルを間欠駆動できるように構成された表示装置に適している。
【符号の説明】
【００８４】
２…液晶表示装置
１０…液晶表示パネル
１００…表示部
１１０…画素形成部
２００…表示制御回路
２１０…駆動制御部
２２０…電源制御部
３００…データ信号線駆動回路
４００…走査信号線駆動回路
５００…駆動回路
６００，６１０，６２０…ＤＣ−ＤＣコンバータ
６１０ｕ…昇圧型ＤＣ−ＤＣコンバータＩＣ
６１０ｄ…降圧型ＤＣ−ＤＣコンバータＩＣ
Ｑｎｕ，Ｑｎｄ…Ｎチャネル形ＭＯＳトランジスタ（スイッチング素子）
Ｑｐｄ        …Ｐチャネル形ＭＯＳトランジスタ（スイッチング素子）
Ｃｍ，Ｃｍ１，Ｃｍ２…モード制御信号
ＶＰＷｉｎ…入力電源電圧
ＶＰＷ１…パネル用電源電圧
ＶＰＷ２…ロジック用電源電圧
【図１】
2013153987.tif 000003
【図２】
2013153987.tif 000004
【図３】
2013153987.tif 000005
【図４】
2013153987.tif 000006
【図５】
2013153987.tif 000007
【図６】
2013153987.tif 000008
【図７】
2013153987.tif 000009
【図８】
2013153987.tif 000010
【図９】
2013153987.tif 000011
【図１０】
2013153987.tif 000012
【図１１】
2013153987.tif 000013
【図１２】
2013153987.tif 000014
【図１３】
2013153987.tif 000015
【図１４】
2013153987.tif 000016
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で、前記電源制御部から出力されるモード制御信号により切り換えることができるように構成されており、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御部は、前記モード制御信号として、前記リフレッシュ期間では第１レベルの信号を出力し前記非リフレッシュ期間では第２レベルの信号を出力し、
前記第１のＤＣ−ＤＣコンバータは、前記モード制御信号として前記第１レベルの信号が出力されているときには前記第１モードで動作し、前記モード制御信号として前記第２レベルの信号が出力されているときには前記第２モードで動作することを特徴とする、表示装置。
【請求項２】
前記駆動制御部は、前記リフレッシュ期間のみが繰り返し現れる通常駆動モードと前記リフレッシュ期間と前記非リフレッシュ期間とが交互に現れる間欠駆動モードとの間で前記駆動回路の動作モードを切り換えることができるように構成されており、
前記電源制御部は、前記駆動回路が前記通常駆動モードで動作しているときに前記モード制御信号として前記第１レベルの信号を出力することを特徴とする、請求項１に記載の表示装置。
【請求項３】
直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で、前記電源制御部から出力されるモード制御信号により切り換えることができるように構成されており、
前記駆動制御部は、前記表示部における表示画像をリフレッシュするリフレッシュ期間のみが繰り返し現れる通常駆動モードと、前記表示部における表示画像をリフレッシュするリフレッシュ期間と前記表示部における表示画像のリフレッシュを休止する非リフレッシュ期間とが交互に現れる間欠駆動モードとの間で、前記駆動回路の動作モードを切り換えることができるように構成されており、
前記電源制御部は、前記駆動回路が前記通常駆動モードで動作しているときに前記モード制御信号として前記第１レベルの信号を出力し、前記駆動回路が前記間欠駆動モードで動作しているときに前記モード制御信号として前記第２レベルの信号を出力し、
前記第１のＤＣ−ＤＣコンバータは、前記モード制御信号として前記第１レベルの信号が出力されているときには前記第１モードで動作し、前記モード制御信号として前記第２レベルの信号が出力されているときには前記第２モードで動作することを特徴とする、表示装置。
【請求項４】
前記第１のＤＣ−ＤＣコンバータは、
前記第１モードでは前記第１のスイッチング素子の動作をパルス幅変調方式により制御し、
前記第２モードでは前記第１のスイッチング素子の動作をパルス周波数変調方式により制御することを特徴とする、請求項１または２に記載の表示装置。
【請求項５】
前記第１のＤＣ−ＤＣコンバータは、
前記第１モードでは前記第１のスイッチング素子の動作をパルス幅変調方式により制御し、
前記第２モードでは、前記第１のスイッチング素子の動作を制御する方式を前記第１のＤＣ−ＤＣコンバータの負荷に応じてパルス幅変調方式とパルス周波数変調方式との間で切り換えることを特徴とする、請求項１から３のいずれか１項に記載の表示装置。
【請求項６】
第２の誘導素子と当該第２の誘導素子に流れる電流を変化させるための第２のスイッチング素子とを含み、外部から入力される直流電圧のレベルを当該第２のスイッチング素子を動作させることにより変換し、レベル変換後の直流電圧を第２の電源電圧として前記駆動制御部に供給する第２のＤＣ−ＤＣコンバータを更に備え、
前記第２のＤＣ−ＤＣコンバータは、前記第２のスイッチング素子の動作を制御する制御モードを前記少なくとも２つのモードの間で切り換えることができるように構成されており、
前記電源制御部は、前記第１のＤＣ−ＤＣコンバータの制御モードを前記第２のＤＣ−ＤＣコンバータの制御モードとは独立に切り換えることを特徴とする、請求項１から３のいずれか１項に記載の表示装置。
【請求項７】
画像を表示するための表示部と当該表示部を駆動するための駆動回路と当該駆動回路を制御するための駆動制御部とを有する表示装置における電源電圧を生成するための電源生成方法であって、
誘導素子に流れる電流を変化させるためのスイッチング素子の動作を制御することにより、外部から入力される直流電圧のレベルを変換し、レベル変換後の直流電圧を前記電源電圧として出力する電圧レベル変換ステップと、
前記スイッチング素子の動作を制御する制御モードを、第１モードと所定の軽負荷時において当該第１モードよりも電源変換効率の高い第２モードとを含む少なくとも２つのモードの間で切り換えるためのモード制御信号を出力する電源制御ステップとを備え、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御ステップでは、前記モード制御信号として、前記リフレッシュ期間には第１レベルの信号が出力され前記非リフレッシュ期間には第２レベルの信号が出力され、
前記電圧レベル変換ステップでは、前記スイッチング素子の動作は、前記モード制御信号として前記第１レベルの信号が出力されているときには前記第１モードで制御され、前記モード制御信号として前記第２レベルの信号が出力されているときには前記第２モードで制御されることを特徴とする、電源生成方法。
【手続補正２】
【補正対象書類名】明細書
【補正対象項目名】０００８
【補正方法】変更
【補正の内容】
【０００８】
本発明の第１の局面は、直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で、前記電源制御部から出力されるモード制御信号により切り換えることができるように構成されており、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御部は、前記モード制御信号として、前記リフレッシュ期間では第１レベルの信号を出力し前記非リフレッシュ期間では第２レベルの信号を出力し、
前記第１のＤＣ−ＤＣコンバータは、前記モード制御信号として前記第１レベルの信号が出力されているときには前記第１モードで動作し、前記モード制御信号として前記第２レベルの信号が出力されているときには前記第２モードで動作することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の第２の局面は、本発明の第１の局面において、
前記駆動制御部は、前記リフレッシュ期間のみが繰り返し現れる通常駆動モードと前記リフレッシュ期間と前記非リフレッシュ期間とが交互に現れる間欠駆動モードとの間で前記駆動回路の動作モードを切り換えることができるように構成されており、
前記電源制御部は、前記駆動回路が前記通常駆動モードで動作しているときに前記モード制御信号として前記第１レベルの信号を出力することを特徴とする。
【手続補正５】
【補正対象書類名】明細書
【補正対象項目名】００１１
【補正方法】変更
【補正の内容】
【００１１】
本発明の第３の局面は、直流電圧のレベルを変換することにより電源電圧を生成する機能を有する表示装置であって、
画像を表示するための表示部と、
前記表示部を駆動するための駆動回路と、
第１の誘導素子と当該第１の誘導素子に流れる電流を変化させるための第１のスイッチング素子とを含み、外部から入力される直流電圧のレベルを当該第１のスイッチング素子を動作させることにより変換し、レベル変換後の直流電圧を第１の電源電圧として前記駆動回路に供給する第１のＤＣ−ＤＣコンバータと、
前記駆動回路を制御するための駆動制御部と、
前記第１のＤＣ−ＤＣコンバータを制御するための電源制御部とを備え、
前記第１のＤＣ−ＤＣコンバータは、前記第１のスイッチング素子の動作を制御する制御モードを、第１モードと所定の軽負荷時において当該第１モードよりも電源変換効率の高い第２モードとを含む少なくとも２つのモードの間で、前記電源制御部から出力されるモード制御信号により切り換えることができるように構成されており、
前記駆動制御部は、前記表示部における表示画像をリフレッシュするリフレッシュ期間のみが繰り返し現れる通常駆動モードと、前記表示部における表示画像をリフレッシュするリフレッシュ期間と前記表示部における表示画像のリフレッシュを休止する非リフレッシュ期間とが交互に現れる間欠駆動モードとの間で、前記駆動回路の動作モードを切り換えることができるように構成されており、
前記電源制御部は、前記駆動回路が前記通常駆動モードで動作しているときに前記モード制御信号として前記第１レベルの信号を出力し、前記駆動回路が前記間欠駆動モードで動作しているときに前記モード制御信号として前記第２レベルの信号を出力し、
前記第１のＤＣ−ＤＣコンバータは、前記モード制御信号として前記第１レベルの信号が出力されているときには前記第１モードで動作し、前記モード制御信号として前記第２レベルの信号が出力されているときには前記第２モードで動作することを特徴とする。
【手続補正６】
【補正対象書類名】明細書
【補正対象項目名】００１２
【補正方法】変更
【補正の内容】
【００１２】
本発明の第４の局面は、本発明の第１または第２の局面において、
前記第１のＤＣ−ＤＣコンバータは、前記第１モードでは前記第１のスイッチング素子の動作をパルス幅変調方式により制御し、前記第２モードでは前記第１のスイッチング素子の動作をパルス周波数変調方式により制御することを特徴とする。
【手続補正７】
【補正対象書類名】明細書
【補正対象項目名】００１３
【補正方法】変更
【補正の内容】
【００１３】
本発明の第５の局面は、本発明の第１から第３の局面のいずれかにおいて、
前記第１のＤＣ−ＤＣコンバータは、前記第１モードでは前記第１のスイッチング素子の動作をパルス幅変調方式により制御し、前記第２モードでは、前記第１のスイッチング素子の動作を制御する方式を前記第１のＤＣ−ＤＣコンバータの負荷に応じてパルス幅変調方式とパルス周波数変調方式との間で切り換えることを特徴とする。
【手続補正８】
【補正対象書類名】明細書
【補正対象項目名】００１４
【補正方法】変更
【補正の内容】
【００１４】
本発明の第６の局面は、本発明の第１から第３の局面のいずれかにおいて、
第２の誘導素子と当該第２の誘導素子に流れる電流を変化させるための第２のスイッチング素子とを含み、外部から入力される直流電圧のレベルを当該第２のスイッチング素子を動作させることにより変換し、レベル変換後の直流電圧を第２の電源電圧として前記駆動制御部に供給する第２のＤＣ−ＤＣコンバータを更に備え、
前記第２のＤＣ−ＤＣコンバータは、前記第２のスイッチング素子の動作を制御する制御モードを前記少なくとも２つのモードの間で切り換えることができるように構成されており、
前記電源制御部は、前記第１のＤＣ−ＤＣコンバータの制御モードを前記第２のＤＣ−ＤＣコンバータの制御モードとは独立に切り換えることを特徴とする。
【手続補正９】
【補正対象書類名】明細書
【補正対象項目名】００１５
【補正方法】変更
【補正の内容】
【００１５】
本発明の第７の局面は、画像を表示するための表示部と当該表示部を駆動するための駆動回路と当該駆動回路を制御するための駆動制御部とを有する表示装置における電源電圧を生成するための電源生成方法であって、
誘導素子に流れる電流を変化させるためのスイッチング素子の動作を制御することにより、外部から入力される直流電圧のレベルを変換し、レベル変換後の直流電圧を前記電源電圧として出力する電圧レベル変換ステップと、
前記スイッチング素子の動作を制御する制御モードを、第１モードと所定の軽負荷時において当該第１モードよりも電源変換効率の高い第２モードとを含む少なくとも２つのモードの間で切り換える電源制御ステップとを備え、
前記駆動制御部は、前記表示部における表示画像をリフレッシュするリフレッシュ期間と前記表示部における表示画像のリフレッシュを休止する非リフレッシュ期間とが交互に現れるように前記駆動回路を制御し、
前記電源制御ステップでは、前記モード制御信号として、前記リフレッシュ期間には第１レベルの信号が出力され前記非リフレッシュ期間には第２レベルの信号が出力され、
前記電圧レベル変換ステップでは、前記スイッチング素子の動作は、前記モード制御信号として前記第１レベルの信号が出力されているときには前記第１モードで制御され、前記モード制御信号として前記第２レベルの信号が出力されているときには前記第２モードで制御されることを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明の他の局面は、本発明の上記第１〜第７の局面および後述の各実施形態に関する説明から明らかであるので、その説明を省略する。
【手続補正１２】
【補正対象書類名】明細書
【補正対象項目名】００１８
【補正方法】変更
【補正の内容】
【００１８】
本発明の第１の局面によれば、誘導素子に流れる電流をスイッチング素子によって変化させることにより直流電圧のレベルが変換され、レベル変換後の直流電圧が電源電圧として駆動回路に供給される。このため、表示部が大型または高精細（高解像度）であってもその駆動に十分な電流を電源回路としてのＤＣ−ＤＣコンバータから供給することができる。また、このＤＣ−ＤＣコンバータは、駆動回路が表示部を駆動しているときに第１モードで動作し、駆動回路が表示部の駆動を休止しているときに第２モードで動作する。これにより、ＤＣ−ＤＣコンバータの軽負荷時での電源変換効率の低下が回避される。したがって、大型または高精細の表示部の駆動に十分な電流をＤＣ−ＤＣコンバータから駆動回路に供給しつつ、表示装置の動作期間全体において電源変換効率を高く維持することができる。より詳しくは、本発明の第１の局面によれば、ＤＣ−ＤＣコンバータがリフレッシュ期間では第１モードで動作し非リフレッシュ期間では第２モードで動作する。これにより、非リフレッシュ期間における電源変換効率の低下が回避されるので、間欠駆動が行われる場合であっても表示装置の動作期間全体において電源変換効率が高く維持される。したがって、大型または高精細の表示部の駆動に十分な電流をＤＣ−ＤＣコンバータから供給しつつ、間欠駆動による消費電力の低減効果を損なわない高い変換効率で電源電圧を生成することができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
本発明の第２の局面によれば、ＤＣ−ＤＣコンバータは、駆動回路が通常駆動モードで動作しているときに第１モードで動作し、駆動回路が間欠駆動モードで動作しているときには、ＤＣ−ＤＣコンバータの制御モードが上記第１の局面におけるように切り換えられる。これにより、表示装置の駆動回路が通常駆動モードと間欠駆動モードのいずれのモードで動作している場合であっても、表示装置の動作期間全体において電源変換効率が高く維持される。
【手続補正１５】
【補正対象書類名】明細書
【補正対象項目名】００２１
【補正方法】変更
【補正の内容】
【００２１】
本発明の第３の局面によれば、ＤＣ−ＤＣコンバータは、駆動回路が通常駆動モードで動作しているときに第１モードで動作し、駆動回路が間欠駆動モードで動作しているときに第２モードで動作する。これにより、表示装置の駆動回路が通常駆動モードと間欠駆動モードのいずれのモードで動作している場合であっても、表示装置の動作期間全体において電源変換効率が高く維持される。
【手続補正１６】
【補正対象書類名】明細書
【補正対象項目名】００２２
【補正方法】変更
【補正の内容】
【００２２】
本発明の第４の局面によれば、ＤＣ−ＤＣコンバータにおいて誘導素子に流れる電流を変化させるためのスイッチング素子の動作が、上記第１モードではパルス幅変調方式により制御され、上記第２モードではパルス周波数変調方式により制御される。これにより、大型または高精細の表示部の駆動に十分な電流をＤＣ−ＤＣコンバータから供給しつつ、表示装置の動作期間全体において電源変換効率を高く維持することができる。
【手続補正１７】
【補正対象書類名】明細書
【補正対象項目名】００２３
【補正方法】変更
【補正の内容】
【００２３】
本発明の第５の局面によれば、ＤＣ−ＤＣコンバータにおいて誘導素子に流れる電流を変化させるためのスイッチング素子の動作が上記第１モードではパルス幅変調方式により制御され、上記第２モードでは、当該スイッチング素子の動作を制御する方式がＤＣ−ＤＣコンバータの負荷に応じてパルス幅変調方式とパルス周波数変調方式との間で切り換えられる。これにより、大型または高精細の表示部の駆動に十分な電流をＤＣ−ＤＣコンバータから供給しつつ、表示装置の動作期間全体において電源変換効率を高く維持することができる。
【手続補正１８】
【補正対象書類名】明細書
【補正対象項目名】００２４
【補正方法】変更
【補正の内容】
【００２４】
本発明の第６の局面によれば、上記ＤＣ−ＤＣコンバータ（第１のＤＣ−ＤＣコンバータ）と同様の構成の第２のＤＣ−ＤＣコンバータにより、駆動制御部に供給すべき電源電圧が生成される。当該第２のＤＣ−ＤＣコンバータの制御モードは、第１のＤＣ−ＤＣコンバータの制御モードとは独立に切り換えられる。これにより、表示部の駆動用の電源電圧の生成動作と駆動制御部の電源電圧（ロジック用電源電圧）の生成動作のそれぞれをきめ細かく制御することで、電源回路全体として電源変換効率を更に高めることができる。
【手続補正１９】
【補正対象書類名】明細書
【補正対象項目名】００２５
【補正方法】変更
【補正の内容】
【００２５】
本発明の他の局面の効果については、本発明の上記第１〜第６の局面の効果および下記実施形態についての説明から明らかであるので、説明を省略する。
【手続補正２０】
【補正対象書類名】明細書
【補正対象項目名】００４３
【補正方法】変更
【補正の内容】
【００４３】
図３は、ＤＣ−ＤＣコンバータ６００において入力電源電圧ＶＰＷｉｎの極性を反転させた所望の直流電圧を生成する部分（以下「反転部」という）の概略構成を示している。ＤＣ−ＤＣコンバータ６００は、当該電源電圧ＶＰＷ１を構成する電源電圧のうち入力電源電圧ＶＰＷｉｎと異なる極性の電源電圧すなわち負電源電圧のそれぞれにつき、図３に示すような反転部を含んでいる。この反転部は、反転型ＤＣ−ＤＣコンバータＩＣ６１０ｒとインダクタＬｒとダイオードＤｒとコンデンサＣｒとを有している。反転型ＤＣ−ＤＣコンバータＩＣ６１０ｒは、スイッチング素子としてのＰチャネル形ＭＯＳトランジスタ（以下「Ｐｃｈトランジスタ」という）Ｑｐｒと、そのＰｃｈトランジスタＱｐｒのゲート端子に与えるべきスイッチング制御信号Ｓｇを生成するための内部制御回路６１２ｒとを有している。また、このＤＣ−ＤＣコンバータＩＣ６１０ｒは、入力電源電圧ＶＰＷｉｎに相当する入力電圧Ｖｉｎを受け取るための電圧入力端子Ｔｉと、ＰｃｈトランジスタＱｐｒの動作についての制御モードを切り換えるためのモード制御信号Ｃｍを受け取るための制御入力端子Ｔｃと、電源電圧Ｖｏｕｔを入力するための出力電圧端子Ｔｏと、インダクタＬｒを接続するための素子接続端子ＴＬと、接地端子Ｔｇとを外部端子として備えている。ＰｃｈトランジスタＱｐｒのドレイン端子およびソース端子は、素子接続端子ＴＬおよび電圧入力端子Ｔｉにそれぞれ接続されている。
【手続補正２１】
【補正対象書類名】明細書
【補正対象項目名】００７３
【補正方法】変更
【補正の内容】
【００７３】
本実施形態における電源制御部２２０が生成する第１および第２のモード制御信号Ｃｍ１，Ｃｍ２のうち、第１のモード制御信号Ｃｍ１は、図１２に示すように、リフレッシュ期間ではＨレベルとなり、非リフレッシュ期間ではＬレベルとなっている。なお、図１２に示す第１のモード制御信号Ｃｍ１は、リフレッシュ期間全体でＨレベルとなっているが、各リフレッシュ期間のうち垂直同期信号ＶＳＹがＨレベルである期間または垂直ブランキング期間において第１のモード制御信号Ｃｍ１がＬレベルである構成であってもよい。一方、第２のモード制御信号Ｃｍ２は常にＨレベルとなっている。
【国際調査報告】
2013153987.tif 000017
2013153987.tif 000018
2013153987.tif 000019
2013153987.tif 000020